(57)【特許請求の範囲】
【請求項１】
(イ)水栓本体と、(ロ)水槽の上側に設けられた支持台と、(ハ)該支持台に設けられた左右方向のスライドレールとを有し、前記支持台には前方に延出するカウンター部が備えられていて、該カウンター部の下面側に前記スライドレールが設けられ、該スライドレールによって吐水口を該水槽の上方においてスライド可能に吊持するとともに、該吐水口を保持するホルダを有していて該ホルダに摺動部が設けられ、該摺動部がボールベアリングを介して前記スライドレールに摺動可能に嵌合していることを特徴とするスライド式水栓装置。
【請求項２】
請求項１に記載のスライド式水栓装置において、前記ホルダには少なくとも前部又は後部に前部ローラ又は後部ローラが転動可能に設けられているとともに、前記水栓装置には該転動する前部ローラの下面又は後部ローラの上面を受けて支持するローラ受面が備えられていることを特徴とするスライド式水栓装置。
【請求項３】
請求項１，２の何れかに記載のスライド式水栓装置において、前記ホルダには該ホルダを前記スライドレールに沿って移動させるため操作摘みが設けてあることを特徴とするスライド式水栓装置。
【請求項４】
請求項１〜３の何れかに記載のスライド式水栓装置において、前記ホルダには該ホルダを位置固定に停止させるストッパ装置が組み込まれていることを特徴とするスライド式水栓装置。
【請求項５】
請求項４に記載のスライド式水栓装置において、前記ストッパ装置は、作用棒と、該作用棒を軸方向に押して前記支持台に所定の摩擦力で当接させる駆動部材と、操作力を入力する操作部とを有していることを特徴とするスライド式水栓装置。
【請求項６】
請求項１〜５の何れかに記載のスライド式水栓装置において、前記ホルダは回転部を有していて、該回転部において前記吐水口を水平方向に回転可能に保持していることを特徴とするスライド式水栓装置。
【請求項７】
請求項１〜５の何れかに記載のスライド式水栓装置において、前記ホルダに対し前記吐水口が水平方向に回転可能に組み付けられていることを特徴とするスライド式水栓装置。
【請求項８】
請求項１〜７の何れかに記載のスライド式水栓装置において、前記ホルダは前記吐水口を該ホルダから引出可能に保持していることを特徴とするスライド式水栓装置。
【請求項９】
(イ)水栓本体と、(ロ)水槽の後方の壁に取り付けられた支持台と、(ハ)該支持台に設けられた左右方向のスライドレールとを有し、前記支持台には前方に延出するカウンター部が備えられていて、該カウンター部の下面側に前記スライドレールが設けられ、該スライドレールによって吐水口を該水槽の上方においてスライド可能に吊持するとともに、前記水栓本体が前記水槽の上方において前記支持台に位置固定に取り付けられていることを特徴とするスライド式水栓装置。
【請求項１０】
(イ)水栓本体と、(ロ)水槽の後方の壁に取り付けられた支持台と、(ハ)該支持台に設けられた左右方向のスライドレールとを有し、前記支持台には前方に延出するカウンター部が備えられていて、該カウンター部の下面側に前記スライドレールが設けられ、該スライドレールによって吐水口を該水槽の上方においてスライド可能に吊持するとともに、前記吐水口と水栓本体とは可撓性ホースにて連絡されており、且つ該吐水口の全移動ストロークに対応した長さ分が常時該水栓本体の外部に取り出してあることを特徴とするスライド式水栓装置。
【請求項１１】
請求項１０に記載のスライド式水栓装置において、前記可撓性ホースは前記該吐水口の移動に連れてループを開き又は閉じる方向に撓み変形する状態で配管してあることを特徴とするスライド式水栓装置。
【請求項１２】
請求項１０，１１の何れかに記載のスライド式水栓装置において、該水栓装置には前記可撓性ホースを内部に収納する収納部が設けてあることを特徴とするスライド式水栓装置。
【発明の詳細な説明】
【０００１】
【発明の属する技術分野】
この発明は水栓装置に関し、詳しくはキッチン用，洗面台用として好適なスライド式水栓装置に関する。
【０００２】
【従来の技術】
従来、例えばキッチン用の水栓装置として図１１に示すようなものが公知である。
同図はシングルレバー式水栓装置の例で、図中２００はその水栓装置２０２における水栓本体で、水槽としてのシンク２０４の上面から起立する状態で設けられており、その上部には操作部（シングルレバー）２０６が上下及び左右に回動可能に設けられている。
【０００３】
水栓本体２００からは吐水口２０８が延び出しており、その先端の吐水部２１０からシンク２０４に向けて吐水するようになっている。
吐水口２０８は、水栓本体２００の一部を成す円筒部２１２と一体に水平方向（左右方向）に回転可能とされており、更に先端側の吐水ヘッド２１４が可撓性ホース２１６とともに引出し可能とされている。
【０００４】
【発明が解決しようとする課題】
この水栓装置２０２の場合、吐水ヘッド２１４をホース２１６とともに引き出して用いることが可能であり、従ってシンク２０４の隅々まで吐水を行うことができ、シンク２０４の掃除を良好に行うことができるとともに、シンク２０４内に置いた鍋や釜等の背の高い容器内部へも吐水を容易に行うことができる利点を有している。
【０００５】
反面においてこの水栓装置２０２の場合、吐水ヘッド２１４を引き出して用いるとき、常に片手でこれを持った状態で作業をしなければならず、従って片手が塞がった状態にあって、もう一方の手でしか作業を行うことができない不自由さがあった。
【０００６】
またシンク２０４が大きいとその分ホース２１６の長さも長くなり、ホース２１６の出入れに面倒を伴い、また水栓本体２００がシンク２０４の上面から起立する状態で設けられているため、シンク２０４の上面を掃除する際に水栓本体２００が邪魔となって、特に水栓本体２００周りの掃除がし辛いといった問題があった。
【０００７】
【課題を解決するための手段】
本願の発明のスライド式水栓装置はこのような課題を解決するために案出されたものである。
而して請求項１のものは、(イ)水栓本体と、(ロ)水槽の上側に設けられた支持台と、(ハ)該支持台に設けられた左右方向のスライドレールとを有し、前記支持台には前方に延出するカウンター部が備えられていて、該カウンター部の下面側に前記スライドレールが設けられ、該スライドレールによって吐水口を該水槽の上方においてスライド可能に吊持するとともに、該吐水口を保持するホルダを有していて該ホルダに摺動部が設けられ、該摺動部がボールベアリングを介して前記スライドレールに摺動可能に嵌合していることを特徴とする。
【０００８】
請求項２のものは、請求項１に記載のスライド式水栓装置において、前記ホルダには少なくとも前部又は後部に前部ローラ又は後部ローラが転動可能に設けられているとともに、前記水栓装置には該転動する前部ローラの下面又は後部ローラの上面を受けて支持するローラ受面が備えられていることを特徴とする。
【０００９】
請求項３のものは、請求項１，２の何れかに記載のスライド式水栓装置において、前記ホルダには該ホルダを前記スライドレールに沿って移動させるため操作摘みが設けてあることを特徴とする。
【００１０】
請求項４のものは、請求項１〜３の何れかに記載のスライド式水栓装置において、前記ホルダには該ホルダを位置固定に停止させるストッパ装置が組み込まれていることを特徴とする。
【００１１】
請求項５のものは、請求項４に記載のスライド式水栓装置において、前記ストッパ装置は、作用棒と、該作用棒を軸方向に押して前記支持台に所定の摩擦力で当接させる駆動部材と、操作力を入力する操作部とを有していることを特徴とする。
【００１２】
請求項６のものは、請求項１〜５の何れかに記載のスライド式水栓装置において、前記ホルダは回転部を有していて、該回転部において前記吐水口を水平方向に回転可能に保持していることを特徴とする。
【００１３】
請求項７のものは、請求項１〜５の何れかに記載のスライド式水栓装置において、前記ホルダに対し前記吐水口が水平方向に回転可能に組み付けられていることを特徴とする。
【００１４】
請求項８のものは、請求項１〜７の何れかに記載のスライド式水栓装置において、前記ホルダは前記吐水口を該ホルダから引出可能に保持していることを特徴とする。
【００１５】
請求項９のものは、(イ)水栓本体と、(ロ)水槽の後方の壁に取り付けられた支持台と、(ハ)該支持台に設けられた左右方向のスライドレールとを有し、前記支持台には前方に延出するカウンター部が備えられていて、該カウンター部の下面側に前記スライドレールが設けられ、該スライドレールによって吐水口を該水槽の上方においてスライド可能に吊持するとともに、前記水栓本体が前記水槽の上方において前記支持台に位置固定に取り付けられていることを特徴とする。
【００１６】
請求項１０のものは、(イ)水栓本体と、(ロ)水槽の後方の壁に取り付けられた支持台と、(ハ)該支持台に設けられた左右方向のスライドレールとを有し、前記支持台には前方に延出するカウンター部が備えられていて、該カウンター部の下面側に前記スライドレールが設けられ、該スライドレールによって吐水口を該水槽の上方においてスライド可能に吊持するとともに、前記吐水口と水栓本体とは可撓性ホースにて連絡されており、且つ該吐水口の全移動ストロークに対応した長さ分が常時該水栓本体の外部に取り出してあることを特徴とする。
【００１７】
請求項１１のものは、請求項１０に記載のスライド式水栓装置において、前記可撓性ホースは前記該吐水口の移動に連れてループを開き又は閉じる方向に撓み変形する状態で配管してあることを特徴とする。
【００１８】
請求項１２のものは、請求項１０，１１の何れかに記載のスライド式水栓装置において、該水栓装置には前記可撓性ホースを内部に収納する収納部が設けてあることを特徴とする。
【００１９】
【作用及び発明の効果】
上記のように請求項１のスライド式水栓装置は、吐水口をスライドレールに沿ってスライド移動可能となしたもので、この水栓装置の場合、そのスライドレールの長さを適当に設定しておくことで、吐水口をシンクや洗面器等の水槽の左右方向の一方の端部から他方の端部まで移動させることができる。
しかもこの水栓装置においては、吐水口をスライドレールによって吊持しているため、両手を自由にした状態で作業を行うことができ、水栓ないし水槽の使い勝手が良好となる。
【００２０】
本発明においては、支持台を水槽の後方の壁に取り付けるようにしており、従って容易に支持台を配設することができるとともに、その支持台に対してスライドレールを容易に設けることができる。また支持台が壁に設けられているため、水槽の上面を清掃する際にその清掃を容易に行うことができる。
【００２１】
また吐水口が水槽の上方でスライドレールにより吊持されているため、水槽の上面を清掃するに際してその吐水口が邪魔になるといったこともない。
【００２２】
また吐水口が左右にスライド可能であるため、シンク内部に鍋や釜などの背の高い容器を出し入れする際にも吐水口との干渉を避けて容易にこれを行うことができる。
【００２３】
更に本発明のものは、上記支持台に前方に延出するカウンター部を設けたもので、本発明によればそのカウンター部を棚部として利用し、各諸物品を載置しておくことができる。
これにより水槽において各種作業をする際の作業性が良好となるとともに、水槽で作業していない場合においてもカウンター部により物品の載置スペースを確保することで水槽周りの整頓が良くなる利点が得られる。
【００２４】
またこのようなカウンター部を設けることによって、その下面側にスライドレールやスライドレールによる吐水口の吊持部分を隠蔽するようになすことができ、吐水口の可動機構が外部に露出して美観を損ねるといった問題を回避できる。
【００２５】
加えて本発明のものは、吐水口を保持するホルダに摺動部を設けて、その摺動部をボールベアリングを介してスライドレールに摺動可能に嵌合するように成したもので、この水栓装置の場合、ボールベアリングの作用によって吐水口を極めて円滑にスライド移動させることができる。
【００２６】
請求項２の水栓装置は、ホルダの少なくとも前部又は後部に前部ローラ又は後部ローラを転動可能に設けるとともに、その前部ローラの下面又は後部ローラの上面を受けて支持するローラ受面を水栓装置に具備させたもので、この水栓装置では、前方に突き出した吐水口に対して下向きの力が作用したときにその荷重を前部ローラとその受面又は後部ローラとその受面とで支持することができ、スライドレール部分に過大な力が作用するのを防ぐことができ、ひいてはスライド式水栓装置の耐久寿命を高寿命となすことができる。
【００２７】
請求項３のものは、ホルダに操作摘みを設けてその操作摘みを持ってホルダ即ち吐水口を左右にスライドさせ得るように成したものである。
吐水口からは湯が吐出されることがあり、この場合吐水口は熱くなってしまう。従ってこの状態で吐水口を手に持ってスライド移動させることは困難であるが、請求項３ではホルダに操作摘みが設けてあるため、そのような問題を生じることなく吐水口をスライド移動させることができる。
【００２８】
請求項４の水栓装置は、ホルダを位置固定に停止させるストッパ装置を組み込んだもので、この請求項４の水栓装置によれば、意図せず吐水口がスライドレールに沿って所望の位置から移動してしまうのを防止することができる。
特にこのストッパ装置は、上記のようにボールベアリングを介して吐水口を滑動可能にスライドレールにて保持するように成した場合に適用して効果が大きい。
【００２９】
ここでストッパ装置は、作用棒と、これを軸方向に押して支持台に所定の摩擦力で当接させる駆動部材と、操作部とを有するように構成し、その作用棒と支持台との摩擦力でホルダを位置固定に停止させるように成すことができる（請求項５）。
【００３０】
上記ホルダは回転部を有するものとなし、その回転部において吐水口を水平方向に回転可能に保持することができる（請求項６）。このようにしておけば、吐水口を水槽の左右方向にスライドさせ得るのみならず回転運動もさせることができ、それだけ吐水位置を自由且つ広範囲に亘って変化させることができ、水栓装置の使い勝手がより良好となる。
【００３１】
請求項７のものは、吐水口をホルダに対し水平方向に回転可能に組み付けたもので、この場合においても吐水口を水槽の左右方向に移動させ得るのみならず回転運動もさせることができ、請求項８と同様に水槽の使い勝手が良好となる。
【００３２】
請求項８の水栓装置は、吐水口をホルダに対し引出し可能と成したもので、このようにしておけば、吐水口からの吐水位置を更に自由に変化させることができ、吐水位置をより広範囲に亘って選択することができるとともに、水槽内部において背の高い容器に対しても、その吐水口を引き出すことによって容易にその内部に吐水を行わせることができる。
【００３３】
請求項９のものは、水栓本体を水槽の上方において支持台に位置固定に取り付けたものである。
水栓本体自体を移動可能としておくことも考えられるが、その場合水栓本体内部の弁部の上流側（一次側）の配管系において水漏れが生じ易くなる問題を生ずる。
これに対して請求項９によれば、吐水口のみを移動可能とし水栓本体を位置固定となしているため、そのような問題を生じない。
【００３４】
また水栓本体を位置固定となしていることから水栓装置の構造が複雑化せず、簡単な構造でスライド水栓装置を構成することができる。更に水栓本体が水槽上方において支持台に取り付けられているため、水槽上面を清掃する際にその水栓本体が邪魔にならず、清掃の作業性が良好となるとともに、水栓周りが常時汚れた状態となって美観が損なわれるといった問題を解消できる。
【００３５】
上記吐水口と水栓本体とは可撓性ホースにて連絡するとともに、その可撓性ホースを水栓本体に対し押込み・引出し可能となしておくことができる。
但しそれら吐水口と水栓本体とを連絡する可撓性ホースを、吐水口の全移動ストロークに対応した長さ分だけ常時水栓本体の外部に取り出した状態としておくことができる（請求項１０）。
【００３６】
このようにした場合、吐水口のスライド移動に伴って可撓性ホースを水栓本体に出し入れする場合と異なって可撓性ホースの出し入れによる抵抗が発生せず、吐水口を軽やかにスライドレールに沿って移動させることができる。
この場合において可撓性ホースはループ状に巻いておき、吐水口の移動に伴ってループを開き又は閉じる方向に撓ませるようになすことができる（請求項１１）。
このようにすることによって、可撓性ホースの存在にも拘わらず吐水口を更に円滑に左右にスライド移動させることができる。
【００３７】
請求項１２の水栓装置は、上記可撓性ホースを収納する収納部を具備したもので、このようにしておけば可撓性ホースのはみだしを防止して美観を良好に保つことができる。
尚この収納部は支持台に且つ可撓性ホースを隠蔽する状態に設けておくことができる。
【００３８】
【実施例】
次に本発明の実施例を参考例とともに図面に基づいて詳しく説明する。
図１（参考例）において、１０は水栓装置に具備された支持台であって、水槽としてのシンク１２の後部においてシンク１２の上面から起立する形態で設けられている。
ここで支持台１０はシンク１２を有する流し台１５の後側の壁Ｗに取り付けられている。但し壁Ｗへの取付けを行わないで流し台１５の上面にのみ固定を行って、その流し台１５により支持しておくことも可能である。
この支持台１０は立上り壁部１４を有している。立上り壁部の上部は平坦な載置面を有するカウンター部１６とされている。
【００３９】
カウンター部１６の左右方向の端部からは一対のアーム１８が水平方向に延び出している。参考例としてここでは、それら一対のアーム１８と１８との間にまたがって、左右方向に延びる前後一対の棒状のスライドレール２０が設けられている。
【００４０】
支持台１０における立上り壁部１４の前面には、シンク１２の左右方向中央部且つシンク１２の上面より高位置において、水栓本体２２がその立上り壁部１４の前面からシンク１２側に突き出す状態で位置固定に固設されている。
【００４１】
本例の水栓装置はシングルレバー式の水栓装置であって、その水栓本体２２の先端部には操作部としてのレバー（シングルレバー）２４が左右及び上下ないし前後方向に回動可能に設けられている。
この水栓本体２２には、後述するように流し台１５のキャビネット５４の内部から延び出した水，湯のサプライ管２６が接続されており、それらサプライ管２６を通じて水，湯が水栓本体２２に供給されるようになっている。
【００４２】
水栓本体２２は、供給された水と湯とを、内蔵した弁部の作用で混合し、また混合比率を変更する。
そしてそのようにして混合した水を可撓性ホース２５を通じて後述の吐水部２８へと供給する。
【００４３】
２７は水栓装置における吐水口で、先端の下向きの吐水部２８からシンク１２内部に向けて吐水を行う。
この吐水口２７の先端部には、吐水部２８からの吐水をシャワー吐水から整流吐水に或いはその逆に切替操作するための操作部３０が設けられている。
【００４４】
３２は吐水口２７を保持するホルダであって、上部３４と下部（回転部）３６とに分かれている。
その上部３４には、これを左右方向に貫通する被案内部としての嵌合孔３８が形成されていて、その嵌合孔３８が上記スライドレール２０にスライド可能に嵌合されており、以ってホルダ３２が吐水口２７を保持した状態で、スライドレール２０に沿って左右方向、つまりシンク１２の長手方向にスライド移動可能に保持されている。
【００４５】
ホルダ３２の下部３６は、上部３４に対して水平方向に回転可能とされている。
その下部３６には保持孔４０が設けられていて、その保持孔４０において吐水口２７がその軸心方向に出入り可能に保持されている。
【００４６】
この吐水口２７には、上記可撓性ホース２５の先端部が接続されており、吐水口２７がホルダ３２からその可撓性ホース２５とともに引出し可能とされている。
尚、可撓性ホース２５は水栓本体２２の取出孔４２からその一部が外部に延び出して、その先端部が吐水口２７に接続されている。
【００４７】
本例のスライド式水栓装置の場合、吐水口２７をホルダ３２により保持した状態で、これをスライドレール２０に沿ってシンク１２の長手方向、即ち左右方向にスライド移動させることができる。
またホルダ３２における下部３６を回転運動させることによって、ホルダ３２による保持部を中心として吐水口２７の先端の吐水部２８を左右方向に回転させることができる。
更に吐水口２７をホルダ３２から引き出すことによって、吐水部２８を所望の位置に自由に持ち来すことができる。
【００４８】
尚、吐水口２７がスライドレール２０に沿って左右方向にスライド移動する際、これに接続された可撓性ホース２５の一部が、水栓本体２２の取出孔４２から取り出され或いはまた再びその内部に収納される。
【００４９】
本例の水栓装置の場合、スライドレール２０の長さを適当に設定しておくことで、吐水口２７をシンク１２の左右方向の一方の端部から他方の端部まで移動させることができる。
しかもこの水栓装置においては、吐水口２７をスライドレール２０によって支持しているから、両手を自由にした状態で作業を行うことができ、水栓ないしシンク１２の使い勝手が良好となる。
【００５０】
更にこの水栓装置においては、水栓本体２２を位置固定に設けているため、水栓本体２２を移動させるようにした場合に生じる、水栓本体内の弁部より上流側（一次側）の配管系における漏水の問題を無くすことができ、また簡単な構成で水栓装置を構成することができる。
【００５１】
また本例では支持台１０に対し、水栓本体２２をシンク１２の上面より高位置において固定していることから、即ち水栓本体２２がシンク１２上面から起立していないから、シンク１２上面を掃除する際に水栓本体２２が障害とならず、シンク１２上面を容易に掃除することができる。
【００５２】
更に本例では支持台１０にカウンター部１６を設けているため、そのカウンター部１６を利用して各種物品を載置しておくことができ、シンク１２において各種作業をする際の作業性が良好となるとともに、シンク１２で作業していない場合においてもカウンター部１６により物品の載置スペースを確保することで、シンク１２周りの整頓が良くなる利点が得られる。
【００５３】
また本例では、吐水口２７にホルダ３２を設けてこれに嵌合孔３８を設け、そのホルダ３２にて吐水口２７を保持するようになしているため、この水栓装置にあっては吐水口２７を円滑にスライドレール２０に沿ってスライド移動させることができる。
【００５４】
その他本例ではホルダ３２の下部を回転可能となして、その下部により吐水口２７を保持していることから、吐水口２７をシンク１２の左右方向にスライド移動させ得るのみならず回転運動もさせることができ、それだけ吐水位置を自由に且つ広範囲に亘って変化させることができ、水栓装置の使い勝手がより良好となる。
【００５５】
更に吐水口２７はそのホルダ３２から引出し可能に保持されているため、吐水口２７からの吐水位置を更に自由に変化させることができ、吐水位置をより広範囲に亘って選択することができるとともに、シンク１２内部に置いた背の高い容器に対しても、その吐水口２７を引き出すことによって容易にその内部に吐水を行わせることができる利点が得られる。
【００５６】
図２〜図１０は本発明の実施例を示している。
この例では支持台１０が立上り壁部１４とその上端から水平方向前方に延出する板状のカウンター部１６とを有している。
支持台１０は、本例においても立上り壁部１４において後側の壁Ｗにねじ５０（図５参照）によって止付固定されている。
【００５７】
本例においては、この支持台１０におけるカウンター部１６の下面に水栓本体２２と吐水口２７とが設けられている。
そしてそれら水栓本体２２と吐水口２７とが、図３に示しているように可撓性ホース２５にて連絡されている。
但し図１の参考例の場合には可撓性ホース２５が水栓本体２２に対して出入れ可能とされているが、この例では可撓性ホース２５が水栓本体２２に対し出入れ可能とされておらず、常時水栓本体２２の外部に露出した状態となっている。即ち水栓本体２２の外部において水栓本体２２と吐水口２７とを連結した状態となっている。
【００５８】
図４において、５２は流し台１５のキャビネット５４内部に臨んで配置された給水元管，給湯元管でそれぞれに止水栓５６が接続されている。そしてこれら止水栓５６を介してサプライ管２６がそれら給水元管，給湯元管５２からキャビネット５４内部において上向きに延び出している。
サプライ管２６は、キャビネット５４後側の壁Ｗに形成された開口５８を通じて一旦外側に取り出された上、再び壁Ｗの開口５８を通じて室内側に取り入れられ、各先端が上記水栓本体２２に接続されている。
【００５９】
ここで開口５８はその下端が流し台１５のカウンター６０よりも下側に位置しており、また上端がカウンター６０のバックガード部６２よりも上側に位置している。そして上記サプライ管２６は、そのカウンター６０よりも下側において壁Ｗの外側に取り出された後、バックガード部６２の上側の位置において再び室内側に入り込んでいる。
即ち本例では単一の開口５８が、サプライ管２６を壁Ｗの外側に取り出す取出口と再び室内側に取り込むための取入口とを兼ねている。
【００６０】
図５に示しているように、上記水栓本体２２はシンク１２の上方において支持台１０におけるカウンター部１６の下面にねじ５０にて位置固定に取り付けられている。
図６に示しているように支持台１０におけるカウンター部１６の下面には、取付プレート６４がねじ５０にて取付固定されている。
【００６１】
この取付プレート６４の更に下面にはスライドレール６８が設けられており、そのスライドレール６８によって、吐水口２７を保持するホルダ６６がスライド可能に吊持されている。
ここで吐水口２７はホルダ６６に対し水平方向に回転可能に組み付けられている。またホルダ６６には移動操作用の操作摘み７０が設けられている。
【００６２】
図７に上記スライドレール６８及びスライドレール６８とホルダ６６との連結部分の構造が詳しく示してある。
同図に示しているようにスライドレール６８は金属製のプレート状のレール本体６９を有している。
レール本体６９は幅方向両端部が下向きに折り曲げられており、それら曲げ部７２の内側に嵌合用の凹部８０が形成されている。
【００６３】
スライドレール６８は、このレール本体６９の下側に中間スライダ７４を有している。
中間スライダ７４もまた金属プレートを曲げ加工したものであって、幅方向両端部の下向きの側部に多数の保持孔７６を有しており、それら保持孔７６にボールベアリング７８を回転可能に保持している。そしてそれらボールベアリング７８を介してレール本体６９の上記凹部８０にスライド可能に嵌合している。
【００６４】
８２はホルダ６６の上面に固設された摺動部である。摺動部８２は金属プレートを曲げ加工したもので、幅方向両端部に上向きの曲げ部８４を有している。
曲げ部８４には、外面側に嵌合用の凹部８６が形成されており、この凹部８６に上記中間スライダ７４に保持されたボールベアリング７８が回転可能に嵌合されている。
即ち摺動部８２は中間スライダ７４を介して、厳密には中間スライダ７４に保持されたボールベアリング７８を介してレール本体６９の凹部８０にスライド可能に嵌合されている。
【００６５】
上記ホルダ６６は、図６に示しているように上部に固定部材８８を有している。そしてこのこの固定部材８８の上面に上記摺動部８２が固設されている。
固定部材８８は、図１０に示しているようにその前部と後部とに前部ローラ９０と後部ローラ９２とが回転可能に設けられている。
【００６６】
一方支持台１０におけるカウンター部１６には、図６（Ｂ）に示しているように前部ローラ９０の下面を受けてこれを転動可能に支持する前部受面９４と、後部ローラ９２の上面を受けてこれを転動可能に支持する後部受面９６とが形成されている。
ホルダ６６は、それら前部ローラ９０，後部ローラ９２を前部受面９４，後部受面９６に対し転動させながら左右方向にスライド移動する。
【００６７】
図６に示しているように、支持台１０におけるカウンター部１６の下側にはカバープレート９８が配設されている。
カバープレート９８は左右方向に長手形状をなしており、その下端部が断面コ字形状の取付部材９９を介して壁Ｗに固定され、また上部がスペーサブロック１００を介して支持台１０の立上り壁部１４に、即ち壁Ｗに固定されている。
【００６８】
このカバープレート９８と壁Ｗとの間には収納凹部１０４が形成されており、そこに水栓本体２２と吐水口２７とを結ぶ上記可撓性ホース２５が収納されている。
ここでカバープレート９８の下端部には爪１０２が設けられており、その爪１０２が取付部材９９に掛止されている。
【００６９】
上記スペーサブロック１００は、カバープレート９８の固定をなすとともに壁Ｗとカバープレート９８との間に所定の間隔を形成するもので、カバープレート９８の長手方向端部においてカバープレート９８の上部を壁Ｗに固定している。
可撓性ホース２５は、それら左右端部のスペーサブロック１００と１００との間において収納凹部１０４内部に収納されている。
尚、図５に示しているように上記サプライ管２６はこの収納凹部１０４内部に入り込み、その上端開放部を通じて上記水栓本体２２に接続されている。
【００７０】
上記水栓本体２２と吐水口２７とを結ぶ可撓性ホース２５は、図６及び図８に示しているように収納凹部１０４内部において縦姿勢で収納されている。
この可撓性ホース２５は、図８（II）に示しているように吐水口２７が水栓本体２２に接近する方向に移動するときループを閉じる方向に撓み、また図８（Ｉ）に示しているように吐水口２７が水栓本体２２から離れる方向にスライド移動するときそのループを開く方向に撓み変形する。
【００７１】
従って可撓性ホース２５は、吐水口２７がスライド移動するとき殆どその抵抗となることはなく、従って吐水口２７は軽やかに左右にスライド移動することができる。
【００７２】
図９に示しているように、ホルダ６６には吐水口２７を所望位置に停止させるためのストッパ装置１０６が組み込まれている。
ストッパ装置１０６は、上下の軸方向に可動の作用棒１０８と、軸１１０を介して操作摘み７０に結合され、操作摘み７０に加えられた回転操作力によって回転運動し、作用棒１０８を上下に所定ストローク昇降させる駆動部材としてのカム１１２と、作用棒１０８を下向きに弾発するスプリング１１４とを有している。
【００７３】
このストッパ装置１０６は、操作摘み７０を回転操作するとカム１１２が回転して作用棒１０８をスプリング１１４の弾発力に抗して持ち上げ、その上端に取り付けられた摩擦部材１１６を取付プレート６４の下面に摩擦接触させて、ホルダ６６及び吐水口２７のスライド移動を阻止するように働く。
上記説明から明らかなように、操作摘み７０はストッパ装置１０６の操作部を兼ねている。
【００７４】
本例の水栓装置の場合、上記参考例と同様に支持台１０がシンク１２の後方の壁に取り付けられているため、シンク１２の上面を清掃する際にその清掃を容易に行うことができる。
また参考例と同様、吐水口２７がシンク１２の上方でスライドレール６８により吊持されているため、シンク１２の上面を清掃するに際してその吐水口２７が邪魔になるといったことがない。
また吐水口２７が左右にスライド移動できるため、鍋や釜等の背の高い容器をシンク１２に出し入れする際に吐水口２７との緩衝を避けて行うことができる。
【００７５】
本例の水栓装置では、ホルダ６６に摺動部８２を設けてその摺動部８２をボールベアリング７８を介してスライドレール６８に摺動可能に嵌合しているため、極めて円滑に吐水口２７を左右にスライド移動させることができる。
一方でホルダ６６にはストッパ装置１０６が組み込まれているため、そのストッパ装置１０６によってホルダ６６及び吐水口２７を所望位置に停止させておくことができ、意に反して吐水口２７が所望の位置から左右方向に移動してしまうといったことを防止できる。
【００７６】
本例の水栓装置にあっては、前部ローラ９０と後部ローラ９２とがホルダ６６に設けられており、それら前部ローラ９０と後部ローラ９２とが、支持台１０に形成された前部受面９４及び後部受面９６によって支持されている。
従って前方に突き出した吐水口２７に対し下向きの力が加わった場合にも、スライドレール６８に過大な負荷がかかるのを防止できる。
【００７７】
また吐水口２７をスライド移動させる際にも、前方に突き出した吐水口２７自身の重みによってスライドレール６８に偏心荷重が作用するのを防止でき、吐水口２７を円滑に左右にスライド移動させることができる。
【００７８】
またスライドレール６８に過大な負荷が作用するのを防止できることから、水栓装置の寿命を高寿命化することができる。
また本例ではホルダ６６に操作摘み７０が設けられていて、その操作摘み７０を手に持って吐水口２７を左右方向にスライド移動させることができ、吐水管２７が熱い状態であっても支障なくこれを移動操作することができる。
【００７９】
本例の水栓装置の場合、吐水口２７がホルダ６６に対し水平方向に回転可能に組み付けられており、従って吐水口２７を左右方向にスライド移動できるのみならず水平方向にも回転でき、吐水口２７の移動範囲を広く確保することができる。
【００８０】
本例の水栓装置の場合、流し台１５の後側の壁Ｗに開口５８を形成して、その開口５８を通じサプライ管２６をキャビネット５４内部からシンク１２上方の水栓本体２２まで取り出すことができる。
しかもその開口５８から室内側に入り込んだサプライ管２６は、支持台１０及び支持台１０に設けられたカバープレート９８によって隠蔽されているため、サプライ管２６が露出することによって美観が低下するといった問題を生じず、良好な美観を保持することができる。
またスライド水栓の設置施工に際して、施工性良くこれを設置することができる。
【００８１】
本例の水栓装置の場合、支持台１０におけるカウンター部１６の下面にスライドレール６８及びスライドレール６８とホルダ６６との連結部分を配置しているため、それらをカウンター部１６にて隠蔽でき、美観を良好に保持することができる。
またそのスライド部分に跳ね水等が飛び散ったり埃等が付着するのを防ぐことができる。
【００８２】
また本例では、水栓本体と吐水口２７とを結ぶ可撓性ホース２５が常時水栓本体２２の外部に露出した状態にあって、吐水口２７の移動につれてループを閉じたり開いたりするように撓むため、これによって可撓性ホース２５による抵抗を受けることなく吐水口２７を軽やかに左右に移動操作することができる。
【００８３】
しかもその可撓性ホース２５はカバープレート９８裏側の収納凹部１０４内部に収納された状態にあって外部から隠蔽されているため、その可撓性ホース２５を水栓本体２２の外部に露出状態で配置してあっても美観を良好に保持することができる。
【００８４】
以上本発明の実施例を詳述したがこれはあくまで一例示である。
例えば上記ホルダの形態はあくまで本発明の一形態に過ぎないもので、本発明においてはホルダを他の様々な形態で構成することができ、また場合によって吐水口に一体に設けることも可能である。
また本発明は洗面台用の水栓装置その他の用途，形態の水栓装置にも適用することが可能であるなど、その主旨を逸脱しない範囲において種々変更を加えた形態で構成可能である。
【図面の簡単な説明】
【図１】  参考例であるスライド式水栓装置を流し台及びシンクとともに示す図である。
【図２】  本発明の実施例であるスライド式水栓装置を流し台及びシンクとともに示す斜視図である。
【図３】  図２の水栓装置を流し台とともに示す正面図である。
【図４】  同じ実施例の水栓装置の要部を示す側面断面図である。
【図５】  図４の要部を拡大して示す図である。
【図６】  同じ実施例の水栓装置の図４とは異なる要部を拡大して示す図である。
【図７】  図６におけるスライドレールと周辺部を拡大して示す図である。
【図８】  同実施例の作用説明図である。
【図９】  同実施例に備えられたストッパ装置を示す図である。
【図１０】  同じ実施例のホルダ上部の固定部材を示す図である。
【図１１】  従来のキッチン用水栓装置の例を示す図である。
【符号の説明】
１０  支持台
１２  シンク（水槽）
１６  カウンター部
２０，６８  スライドレール
２２  水栓本体
２５  ホース
２７  吐水口
３２，６６  ホルダ
３６  下部（回転部）
３８  嵌合孔（被案内部）
５４  キャビネット
５８  開口
７０  操作摘み
７８  ボールベアリング
８２  摺動部
９０  前部ローラ
９２  後部ローラ
９４  前部受面
９６  後部受面
１０４  収納凹部
１０６  ストッパ装置
１０８  作用棒
１１２  カム
１１６  摩擦部材
Ｗ   壁
【図１】
0004091207.tif 000002
【図２】
0004091207.tif 000003
【図３】
0004091207.tif 000004
【図４】
0004091207.tif 000005
【図５】
0004091207.tif 000006
【図６】
0004091207.tif 000007
【図７】
0004091207.tif 000008
【図８】
0004091207.tif 000009
【図９】
0004091207.tif 000010
【図１０】
0004091207.tif 000011
【図１１】
0004091207.tif 000012